(57)【要約】【課題】トラッキングエラー信号の検出に優れた光ピックアップ装置を提供すること。【解決手段】光源と、前記光源から出射されるレーザ光を光ディスクに集光する集光手段と、前記集光手段によって前記レーザ光の集光スポットが前記光ディスクにオントラックされている状態における前記光ディスクからの反射光のうち０次光を基準として、前記０次光と−１次回折光との第１の重複領域（３ｂ，３ｄ）及び前記０次光と＋１次回折光との第２の重複領域（３ｃ，３ｅ）を夫々前記０次光の開口中心を通りラジアル方向に延びた境界線によって分割して４つの分割領域（３ｂ〜３ｅ）を得る分割手段と、前記分割手段により分割された分割領域の反射光を独立に検出する検出手段と、を備えたことを特徴とする。【選択図】          図２
2005108360.tif 000002
【特許請求の範囲】
【請求項１】
光源と、
前記光源から出射されるレーザ光を光ディスクに集光する集光手段と、
前記集光手段によって前記レーザ光の集光スポットが前記光ディスクにオントラックされている状態における前記光ディスクからの反射光のうち０次光を基準として、前記０次光と−１次回折光との第１の重複領域及び前記０次光と＋１次回折光との第２の重複領域を夫々前記０次光の開口中心を通りラジアル方向に延びた境界線によって分割して４つの分割領域を得る分割手段と、
前記分割手段により分割された分割領域の反射光を独立に検出する検出手段と、
を備えたことを特徴とする光ピックアップ装置。
【請求項２】
前記分割手段は、前記０次光の開口中心を通りタンジェンシャル方向に延びた境界線によって、前記４つの分割領域の外に、タンジェンシャル方向に２つの分割領域を得ることを特徴とする請求項１に記載の光ピックアップ装置。
【請求項３】
前記分割手段は、前記集光手段と一体に取り付けたれたホログラムであることを特徴とする請求項１に記載の光ピックアップ装置。
【請求項４】
光ディスクに対する情報の記録処理、及び光ディスクに記録された情報の再生処理のうちの少なくとも一方の処理を実行する光ディスク装置であって、
光源と、
前記光源から出射されるレーザ光を光ディスクに集光する集光手段と、
前記集光手段によって前記レーザ光の集光スポットが前記光ディスクにオントラックされている状態における前記光ディスクからの反射光のうち０次光を基準として、前記０次光と−１次回折光との第１の重複領域及び前記０次光と＋１次回折光との第２の重複領域を夫々前記０次光の開口中心を通りラジアル方向に延びた境界線によって分割して４つの分割領域を得る分割手段と、
前記分割手段により分割された分割領域の反射光を独立に検出する検出手段と、
前記検出手段により検出された反射光に基づきトラッキングエラー信号を生成し、このトラッキングエラー信号に基づきトラッキングを制御するトラッキング制御手段と、
を備えたことを特徴とする光ディスク装置。
【請求項５】
前記分割手段は、前記０次光の開口中心を通りタンジェンシャル方向に延びた境界線によって、前記４つの分割領域の外に、タンジェンシャル方向に２つの分割領域を得ることを特徴とする請求項４に記載の光ディスク装置。
【請求項６】
レーザ光の集光スポットが光ディスクにオントラックされている状態における前記光ディスクからの反射光のうち０次光を基準として、前記０次光と−１次回折光との第１の重複領域及び前記０次光と＋１次回折光との第２の重複領域を夫々前記０次光の開口中心を通りラジアル方向に延びた境界線によって分割し４つの分割領域の通過光に基づく信号を独立して得る手順と、
少なくとも前記４つの分割領域の通過光に基づく信号同士の演算によって、前記集光スポットの前記光ディスクに対するトラッキングずれに対応したトラッキングエラー信号を生成する手順とを具備したことを特徴とするトラッキングエラー信号検出方法。
【発明の詳細な説明】
【技術分野】
【０００１】
本発明は、光学式記録媒体からの反射光を検出してトラッキングエラー信号を得るための光ピックアップ装置、光ディスク装置及びトラッキングエラー信号検出方法に関する。
【背景技術】
【０００２】
近年、大容量で且つランダムアクセスに優れた記憶媒体として光ディスクが採用されてきている。光ディスクの記録再生を行う光ディスク装置においては、レーザ光を回転中のディスクに照射するピックアップを採用する。ピックアップは、レーザ光を集光して集光スポットをディスク面に照射して情報を記録すると共に、ディスクからの反射光を電気信号に変換して再生を行う。
【０００３】
光ディスク装置においては、ピックアップから放射されるレーザビームによる集光スポットがトラックを正確にトレースするように、トラッキング制御を行っている。トラックと集光スポットとのディスク径方向のずれをトラッキングエラーとして検出し、トラッキングエラー検出信号を用いたサーボループによってレーザビームの集光スポットをオントラックさせるのである。
【０００４】
ＤＶＤやＣＤの記録用ディスクでは、トラッキングエラーの検出方式としてプッシュプル法を採用することがある。プッシュプル法は、ディスク径方向に反射光を分割し、分割した反射光同士の差信号によってトラッキングエラー信号（プッシュプル信号）を得るものである。なお、反射光の開口分割にはホログラムを利用する方法が採用される。
【０００５】
プッシュプル法では対物レンズのトラッキング方向の移動によって、反射光のディスク径方向の対称性がずれてオフセットが発生する。このオフセットの抑制方法として、対物レンズのトラッキング方向の移動量をモニタして電気的にオフセット量をキャンセルする方法、３ビームを用いた差動プッシュプル法（Ｄプッシュプル法）、対物レンズと一体でホログラムを駆動する方法等がある。
【０００６】
対物レンズのトラッキング方向の移動量をモニタする方法を適用する場合、移動量をモニタするための位置センサを光ピックアップに設ける必要がある。このため、装置が大型となり、例えばノートパソコン向けの小形・薄形の光ピックアップには適用できない。また、新たに位置センサが必要となるため装置のコストアップの要因となる。
【０００７】
差動プッシュプル方式は、レーザ出射光の約８割のメインビーム及び約２割の２つのサイドビームの３ビームを用いてオフセットをキャンセル方式である。このため、光利用効率のマージンが少ないＤＶＤ記録では使用できない。また、メインビームとサイドビームとの間隔はトラックピッチの略半分であり、例えばＤＶＤ−ＲＡＭやＤＶＤ−Ｒのようにトラックピッチが異なる媒体に記録する光ピックアップにも採用することができない。
【０００８】
これらの手法に比べて、対物レンズと一体でホログラムを駆動する方法（以下、対物レンズ・ホログラム一体シフト法という）は、全光量に対するプッシュプル信号の比率（以下、変調率という）が大きいＤＶＤ−ＲＡＭ等において有効である。しかしながら、対物レンズ・ホログラム一体シフト法は、変調率が比較的小さいＤＶＤ−ＲやＤＶＤ−ＲＷにおいては、対物レンズシフトによる反射光開□上の光量分布のアンバランスによってプッシュプル信号に大きなオフセットが生じるという欠点がある。
【０００９】
そこで、非特許文献１においては、１ビームでかつ反射光開□上の光量分布のアンバランスを補正することができる補償プッシュプル方式が提案されている。この補償プッシュプル方式においても、対物レンズ・ホログラム一体シフト法が採用される。
【００１０】
反射光は、開口分割パターンを有するホログラムによって、ディスク径方向（以下、ラジアル方向という）に対応して２分割される。この２分割された一方の領域（トラッキングエラー検出領域）は、更に、ラジアル方向に直交するタンジェンシャル方向に対応して２分割されると共に、ディスク面からの±１次回折光の境界において分割され、４つの領域（Ｃ〜Ｆ）に分けられる。
【００１１】
領域Ｃ，Ｄはディスク反射光の０次光とピット列の±１次光の回折光とが重なって通過する部分で、受光量はトラッキングエラーによる変調の影響を受ける。一方、領域Ｅ，Ｆは、０次光が通過する領域で、その受光量は、トラッキングエラーによる変調の影響は受けていない。
【００１２】
非特許文献１における補償プッシュプル信号ＣＰＰは、下記（１）式によって与えられる。なお、（１）式のＣ〜Ｆは領域Ｃ〜Ｆの受光量に応じた信号レベルを示している。
【００１３】
ＣＰＰ＝（Ｃ−Ｄ）−Ｋ（Ｅ−Ｆ）    …（１）  （Ｋは所定の係数）
対物レンズ・ホログラム一体シフト法による反射光開口上の光量分布のアンバランスは、上記（１）式の（Ｃ−Ｄ），（Ｅ−Ｆ）に同位相に現れる。従って、（１）式の係数Ｋを適宜設定することによって、プッシュプル信号に生じるオフセットをキャンセルすることができる。
【非特許文献１】「７．３ｍｍＨ  ＤＶＤ・ＣＤ記録用光ピックアップＴＰＵ３５１０」  内山峰春、篠塚啓司、東芝レビューＶｏｌ．５７Ｎｏ．７（２００２）
【発明の開示】
【発明が解決しようとする課題】
【００１４】
ところが、上記非特許文献１における領域Ｃ，Ｄの受光量は、対物レンズの非点収差による変調の影響も受けてしまう。非点収差は１８０度の周期性を有しており、領域Ｃ，Ｄでは、非点収差によって相互に逆極性の影響が付与される。即ち、非特許文献１のホログラムの開口分割パターンを採用すると、光学系に生じた収差によってＤＰＤ信号にオフセットが生じてしまい、トラッキング精度が低下してしまうこともあるという問題点があった。
【００１５】
本発明はかかる問題点に鑑みてなされたものであって、トラッキング精度を向上させることができる光ピックアップ装置、光ディスク装置及びトラッキングエラー信号検出方法を提供することを目的とする。
【課題を解決するための手段】
【００１６】
本発明の請求項１に係る光ピックアップ装置は、光源と、前記光源から出射されるレーザ光を光ディスクに集光する集光手段と、前記集光手段によって前記レーザ光の集光スポットが前記光ディスクにオントラックされている状態における前記光ディスクからの反射光のうち０次光を基準として、前記０次光と−１次回折光との第１の重複領域及び前記０次光と＋１次回折光との第２の重複領域を夫々前記０次光の開口中心を通りラジアル方向に延びた境界線によって分割して４つの分割領域を得る分割手段と、前記分割手段により分割された分割領域の反射光を独立に検出する検出手段と、を備えたものであり、
本発明の請求項４に係る光ディスク装置は、光ディスクに対する情報の記録処理、及び光ディスクに記録された情報の再生処理のうちの少なくとも一方の処理を実行する光ディスク装置であって、光源と、前記光源から出射されるレーザ光を光ディスクに集光する集光手段と、前記集光手段によって前記レーザ光の集光スポットが前記光ディスクにオントラックされている状態における前記光ディスクからの反射光のうち０次光を基準として、前記０次光と−１次回折光との第１の重複領域及び前記０次光と＋１次回折光との第２の重複領域を夫々前記０次光の開口中心を通りラジアル方向に延びた境界線によって分割して４つの分割領域を得る分割手段と、前記分割手段により分割された分割領域の反射光を独立に検出する検出手段と、前記検出手段により検出された反射光に基づきトラッキングエラー信号を生成し、このトラッキングエラー信号に基づきトラッキングを制御するトラッキング制御手段と、を備えたものであり、
本発明の請求項６に係るトラッキングエラー信号検出方法は、レーザ光の集光スポットが光ディスクにオントラックされている状態における前記光ディスクからの反射光のうち０次光を基準として、前記０次光と−１次回折光との第１の重複領域及び前記０次光と＋１次回折光との第２の重複領域を夫々前記０次光の開口中心を通りラジアル方向に延びた境界線によって分割し４つの分割領域の通過光に基づく信号を独立して得る手順と、少なくとも前記４つの分割領域の通過光に基づく信号同士の演算によって、前記集光スポットの前記光ディスクに対するトラッキングずれに対応したトラッキングエラー信号を生成する手順とを具備したものである。
【発明の効果】
【００１７】
本発明によれば、正確なトラッキング制御を可能にすることができるという効果を有する。
【発明を実施するための最良の形態】
【００１８】
以下、図面を参照して本発明の実施の形態について詳細に説明する。図１は本発明の一実施の形態に係る光ピックアップ装置の概略構成を示す斜視図である。
【００１９】
図１に示すように、光ピックアップ装置１０は、光源１、コリメータレンズ２、ホログラム３、対物レンズ４、光検出器５を備えている。
【００２０】
光ピックアップ装置１０は、光学記録媒体のピット又はランド・グループによる±１次回折光に基づくプッシュプル信号を得ることができるようになっている。そして、図１の光ピックアップ装置１０が組込まれた後述する光ディスク装置は、光学記録媒体が例えばＤＶＤディスクである場合には、光ピックアンプ装置１０の出力に基づいて、位相差検出法（ＤＰＤ法）等によってトラッキングエラー信号を生成することができるようになっている。本実施の形態においては、光学記録媒体として、例えばＤＶＤ−ＲＡＭのようにプッシュプル信号の変調率の高いディスクや、例えばＤＶＤ−ＲのようにトラックピッチがＤＶＤ−ＲＡＭと大きく異なり、かつプッシュプル信号の変調率が低いディスク等を採用してもよい。
【００２１】
図１において、光源１はレーザ光を出射する。光源１からのレーザ光は、コリメータレンズ２、ホログラム３及び対物レンズ４を介して図示しない光学記録媒体であるディスクに照射されるようになっている。コリメートレンズ２は、光源１からのレーザ光をコリメート光に変換する。コリメートレンズ２からのコリメート光はホログラム３を透過し、対物レンズ４によってディスクのピット列２０ａに集光される。ピット列２０ａからの反射光は再び対物レンズ４でコリメート光に変換されてホログラム３に入射する。ホログラム３は入射光を開口分割パターンに応じて回折させて、光検出器５に導く。光検出器５は入射光量を検出するようになっいてる。なお、対物レンズ４とホログラム３とは一体となって駆動されるようになっている。
【００２２】
図２はホログラム３のホログラムパターン（開口分割パターン）を示す説明図であり、図３は光検出器５の検出パターンを示す説明図である。
【００２３】
ホログラム３は、光学記録媒体からの反射光の０次光が通過する開口と反射光の±１次回折光が通過する領域とに基づいて、開口分割パターンが設定されている。図２に示すように、ホログラム３は、オントラック時における光学記録媒体からの反射光の０次光が通過する開口（円形実線）に、領域３ａ〜領域３ｇの７分割の開口分割パターンが形成されている。図２の２つの破線円形は、紙面左側が光学記録媒体からの反射光の−１次回折光が通過する領域を示し、紙面右側が光学記録媒体からの反射光の＋１次回折光が通過する領域を示している。
【００２４】
図２の紙面上側は、集光スポットのディスク面上における進行方向（タンジェンシャル方向）に相当し、紙面左右は、ディスク面のラジアル方向に相当する。例えば、紙面左側がディスクの内周側に相当し、紙面右側がディスクの外周側に相当する。以下、図２の紙面左右方向に相当する方向をラジアル方向とし、紙面上下方向に相当する方向をタンジェンシャル方向とする。
【００２５】
ホログラム３上の開口は、開口の中心を通りラジアル方向に延びた境界線（以下、ラジアル境界線という）によって２分割されている。ラジアル境界線によって分割された一方の領域は、更に、開口の中心からタンジェンシャル方向に延びた境界線（以下、タンジェンシャル境界線という）によって２分割されている。タンジェンシャル境界線によって２分割された一方の領域のうち、−１次回折光の通過領域が領域３ｄであり、ラジアル方向中央側の他の領域が領域３ｆである。また、タンジェンシャル境界線によって２分割された他方の領域のうち、＋１次回折光の通過領域が領域３ｅであり、ラジアル方向中央側の他の領域が領域３ｇである。ラジアル境界線によって分割された他方の領域のうち、−１次回折光及び＋１次回折光の通過領域が夫々領域３ｂ，３ｃであり、ラジアル方向中央側の他の領域が領域３ａである。領域３ｂ，３ｄによって第１の重複領域が構成され、領域３ｃ，３ｅによって第２の重複領域が構成される。
【００２６】
領域３ａは、後述するように、フォーカシングエラーの検出用に用いられる。領域３ｂ，３ｄは、−１次回折光と０次光とが重複して通過する領域であり、領域３ｃ，３ｅは、＋１次回折光と０次光とが重複して通過する領域である。また、領域３ｆ，３ｇは、±１次回折光が重複しない０次光の通過領域である。
【００２７】
図３に示すように、光検出器５は、検出領域５ａ，５ａ’及び検出領域５ｂ〜５ｇを有している。ホログラム３の領域３ｂ〜３ｇで回折した光は、光検出器５の５ｂ〜５ｆに入射するようになっている。また、ホログラム３の領域ａを通過する回折光は、光検出器５の検出領域５ａと検出領域５ａ’との間に集光し、例えばナイフエッジ法を用いたフォーカス検出に用いられるようになっている。
【００２８】
光検出器５から出力信号は、図示しないアンプにより増幅されて、フォーカスエラー信号、プッシュプル信号及びＤＰＤ信号の作成に用いられるようになっている。
【００２９】
例えば、本実施の形態においては、光検出器５の各検出領域５ａ，５ａ’，５ｂ〜５ｇの出力レベルを夫々５ａ，５ａ’，５ｂ〜５ｇとすると、フォーカスエラー信号ＦＥＳは、例えばナイフエッジ法を用いて、ＦＥＳ＝５ａ−５ａ’の演算によって得る。
【００３０】
またＤＶＤ−ＲＡＭディスクのプッシュプル信号は変調率が高いため対物レンズ４のシフトに伴うオフセットの影響が小さい。この点を考慮して、本実施の形態においては、ＤＶＤ−ＲＡＭディスクのプッシュプル信号ＰＰは、ＰＰ＝（５ｃ＋５ｅ）−（５ｂ＋５ｄ）の演算によって取得する。
【００３１】
ＤＶＤ−Ｒのプッシュプル信号は変調率が小さいことから、対物レンズ４のシフトによる開口のガウス分布の不均一によりオフセットが発生する。そこで、本実施の形態においては、このオフセットを例えば領域３ｆ及び領域３ｇの通過光量を用いて補償する。
【００３２】
次に、領域３ｆ，３ｇを用いたオフセット補償について説明する。対物レンズシフトによる開口のガウス分布の偏りによりプッシュプル信号ＰＰはオフセットを含む。一方、図２に示す領域３ｆ及び領域３ｇの部分にも同様にガウス分布の不均一性によってオフセットが発生する。
【００３３】
従って、プッシュプル信号から対物レンズのシフトによるオフセット分を相殺することができる。即ち、対物レンズのシフトによるオフセットを相殺する補償プッシュプル信号ＣＰＰ１は下記（２）式によって得ることができる。なお、Ｖ3f＝５ｆ、Ｖ3g＝５ｇである。
【００３４】
ＣＰＰ１＝（ＰＰ信号）−ｋ（Ｖ3f−Ｖ3g）      …（２）
ここで、ｋは係数である。
【００３５】
上記（２）式のｋを適宜設定することによって、対物レンズのシフトによるプッシュプル信号のオフセットを抑制することができる。上述したように、Ｖ3f、Ｖ3gは０次光の通過領域から得られる信号であるのでトラッキングエラーによる変調の影響を受けていない。従って、サーボ信号検出用のＬＰＦを通過した後の信号では、プッシュプル信号に対してＶ3f−Ｖ3gはＤＣ的な信号となる。即ち、補償プッシュプル信号ＣＰＰ１を算出する上記（２）式の演算を行ってもプッシュプル信号の振幅は変化しない。
【００３６】
更に、本実施の形態においては、対物レンズの非点収差によるオフセットの問題を解決するために、領域３ｂ，３ｃを設けている。本実施の形態においては、ＤＰＤ信号を下記（３）式の演算によって得る。
【００３７】
ＤＰＤ＝ｐｈａｓｅ（５ｃ＋５ｄ）−ｐｈａｓｅ（５ｂ＋５ｅ）    …（３）
この（３）式の演算によってオフセットが生じないという利点がある。
【００３８】
上記説明では、ホログラム３においては、領域３ａをフォーカシングエラーの検出用に採用したが、図４に示すホログラムパターンを採用することも可能である。
【００３９】
図４の領域６ａ，６ａ’及び６ｈ，６ｉは、フォーカスエラー信号の生成用である。なお、図４に示すホログラム６が採用される場合、光検出器５は、図４に示すホログラム６の８つの分割領域の反射光を独立に検出することが可能な構成を取るものとする。
【００４０】
図５は図４に対応した光検出器８の検出パターンを示す説明図である。図４のホログラム６に対応した光検出器８は、検出領域８ａ，８ａ’，８ｂ〜５ｉを有している。フォーカスエラー信号ＦＥＳは、例えばナイフエッジ法を用いて、ＦＥＳ＝８ａ−８ａ’の演算によって得ることも可能であり、また、領域８ｈ，８ｉの検出結果を用いたＣＰＰ法によるフォーカスエラー信号を得ることもできる。
【００４１】
次に、図１に示す光ピックアップ装置１０を適用した光ディスク装置の一例について説明する。図６は本発明の一実施の形態に係る光ディスク装置の概略構成を示すブロック図である。図６の光ディスク装置は、ＤＶＤ−ＲＡＭ、ＤＶＤ−Ｒなどの光ディスク２０に対して目的のデータを記録したり、光ディスク２０に記録されたデータを再生したりする。
【００４２】
図６に示すように、光ディスク装置は、光ピックアップ装置１０、信号処理回路１１、復調回路１２、フォーカスエラー信号生成回路１３、トラッキングエラー信号生成回路１４、フォーカス制御回路１６、トラッキング制御回路１７、変調回路１８、及びレーザ制御回路１９を備えている。
【００４３】
フォーカスエラー信号生成回路１３は、光ピックアップ装置１０からの出力を用いて、フォーカスサーボ用のフォーカスエラー信号を生成してフォーカス制御回路１６に出力する。フォーカス制御回路１６は、フォーカスエラー信号が０となるように、図示しないアクチュエータを駆動して集光スポットをフォーカシング方向に移動させて良好なフォーカスが得る。
【００４４】
トラッキングエラー信号生成回路１４は、光ピックアップ装置１０からの出力を用いて、上述した演算等によって、トラッキングサーボ用のトラッキングエラー信号を生成する。このトラッキングエラー信号はトラッキング制御回路１７に与えられる。トラッキング制御回路１７は、トラッキングエラー信号が０となるように、アクチュエータを駆動して、集光スポットをトラッキング方向に移動させて良好なトラッキングを得る。
【００４５】
光ピックアップ装置１０からの信号は信号処理回路１１にも与えられる。信号処理回路１１は入力された信号を波形等化した後２値化する。信号処理回路１１からの２値化信号は復調回路１２に出力される。復調回路１２は、入力された２値化信号に対して記録時の変調方式に対応した復調処理を施して再生データを出力するようになっている。
【００４６】
変調回路１８は、図示しないホストから提供される記録情報（データシンボル）を、所定の変調方式に従ってチャネルビット系列に変調する。変調回路１８からの記録情報に対応したチャネルビット系列は、レーザ制御回路１９に入力される。レーザ制御回路１９は、チャネルビット系列をレーザ駆動波形に変換して光ピックアップ装置１０に与えて、光ピックアップ装置１０の光源１をパルス駆動する。光ピックアップ装置１０は、レーザ制御回路１９に制御されて、所望のビット系列に対応した記録用の光ビーム又は再生用の光ビームを出射することができるようになっている。
【００４７】
次に、光ディスク装置によるデータの記録再生動作について説明する。
【００４８】
先ず、データの記録時の動作について説明する。記録データ（データシンボル）は、変調回路１８により所定のチャネルビット系列に変調される。記録データに対応したチャネルビット系列は、レーザ制御回路１９によりレーザ駆動波形に変換される。レーザ制御回路１９は、光源１のレーザをパルス駆動し、所望のビット系列に対応したデータを光ディスク２０上に記録する。光源１から放射された記録用の光ビームは、対物レンズ４により光ディスク１の情報記録面に集光される。集光されたビームは、フォーカス制御回路１６によるフォーカス制御及びトラッキング制御回路１７によるトラッキング制御により、記録面上に最良の微小スポットが得られる状態で維持される。
【００４９】
次に、この光ディスク装置によるデータの再生について説明する。データ再生指示に基づき、光源１は再生用の光ビームを放射する。光源１から放射された再生用の光ビームは、対物レンズ４により光ディスク２０の情報記録面に集光される。集光されたビームは、フォーカス制御回路１６によるフォーカス制御及びトラッキング制御回路１７によるトラッキング制御により、記録面上に最良の微小スポットが得られる状態で維持される。このとき、光ディスク２０上に照射された再生用の光ビームは、情報記録面内の反射膜あるいは反射性記録膜により反射される。反射光は対物レンズ４を逆方向に透過し、ホログラム３によって回折されて光検出器５に入射される。
【００５０】
光検出器５に入射された光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【００５１】
上述したように、光検出器５から出力される電気信号に基づき、フォーカスエラー信号生成回路１３によりフォーカスエラー信号が生成される。同様に、光検出器１０から出力される電気信号に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【００５２】
次に、図７を参照して、トラッキングエラー信号検出方法についてまとめる。図７は、トラッキングエラー信号検出処理の概略を示すフローチャートである。既に説明したように、トラッキングエラー信号は、トラッキングエラー信号生成回路１４により生成される。
【００５３】
まず、上述したように、ホログラム３により、図２に示す分割領域の反射光が独立に検出される（ＳＴ１）。つまり、光ディスク２０からの反射光のうち、０次光とこの０次光を基準に対称の±１次回折光とが重なった重複領域である分割領域（領域３ｂ〜３ｅ）の反射光が検出される。同時に、０次光とこれら±１次回折光とが重ならない非重複領域をである分割領域（領域３ｆと領域３ｇ）の反射光が検出される。そして、これらの反射光についての検出結果を用いて上記（３）式を演算する（ＳＴ２）。
【００５４】
また、領域３ｄ及び領域３ｆに対応する反射光成分を成分及び領域３ｅ及び領域３ｇに対応する反射光成分を求め、更に、領域３ｆに対応する反射光成分、領域３ｇに対応する反射光成分を求めて、上記（３）式を演算し（ＳＴ２）、演算結果からトラッキングエラー信号を検出するようにしてもよい（ＳＴ３）。
【００５５】
［実施例］
図８及び図９は横軸に時間をとり縦軸に領域３ｂ〜３ｅ（又は領域６ｂ〜６ｅ）に基づく信号レベル（図中、ｂ〜ｅで表す）をとって、シミュレーションにより図３の演算による効果を説明するためのグラフである。
【００５６】
図８は非点収差が存在する場合における各信号ｂ〜ｅの信号波形を示している。上記（３）式の演算を採用しない場合、即ち、信号ｄ，ｅのみを用いる場合には、図８から明らかなようにオフセットが生じる。
【００５７】
これに対し、図９は非点収差が散在する場合において、対向する領域同士の信号の和（ｃ＋ｄ）と（ｂ＋ｅ）の信号波形を示している。図９に示すように、対向する領域同士の信号の和を用いることで、オフセットが生じることを防止することができることが分かる。
【００５８】
以上説明したように本発明によれば、コストアップを伴わず、小形・薄型の光ピックアップを提供できる。また、トラックピッチやプッシュプル信号の変調率が異なるディスクにおいても良好なトラッキングエラー信号を検出できる光ピックアップを提供できる。
【００５９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【産業上の利用可能性】
【００６０】
以上のように、本発明に係る光ピックアップ装置、光ディスク装置及びトラッキングエラー検出方法は、光ディスクに対して記録再生を行うものに有用であり、例えばＤＶＤ−Ｖｉｄｅｏ、ＤＶＤ−Ｒ、ＤＶＤ−ＲＷ、ＤＶＤ−ＲＡＭ、ＤＶＤ＋Ｒ、ＤＶＤ＋ＲＷ規格に対応した光ディスクの記録再生に適している。
【図面の簡単な説明】
【００６１】
【図１】本発明の一実施の形態に係る光ピックアップ装置の概略構成を示す斜視図。
【図２】ホログラム３のホログラムパターン（開口分割パターン）を示す説明図。
【図３】光検出器５の検出パターンを示す説明図。
【図４】ホログラムパターンの他の例を示す説明図。
【図５】図４に対応した光検出器の検出パターンを示す説明図。
【図６】本発明の一実施の形態に係る光ディスク装置の概略構成を示すブロック図。
【図７】トラッキングエラー信号検出方法を説明するためのフローチャート。
【図８】図３の演算による効果を説明するためのグラフ。
【図９】図３の演算による効果を説明するためのグラフ。
【符号の説明】
【００６２】
１…光源
２…コリメータレンズ
３…ホログラム
４…対物レンズ
５…光検出器
１０…光ピックアップ
１１…信号処理回路
１２…復調回路
１３…フォーカスエラー信号生成回路
１４…トラッキングエラー信号生成回路
１６…フォーカス制御回路
１７…トラッキング制御回路
１８…変調回路
１９…レーザ制御回路
代理人  弁理士    伊藤  進
【図１】
2005108360.tif 000003
【図２】
2005108360.tif 000004
【図３】
2005108360.tif 000005
【図４】
2005108360.tif 000006
【図５】
2005108360.tif 000007
【図６】
2005108360.tif 000008
【図７】
2005108360.tif 000009
【図８】
2005108360.tif 000010
【図９】
2005108360.tif 000011